(57)【要約】【課題】原子力発電所構内で湧き水排水設備を用いて構内道路、駐車場等で融雪する構内融雪装置を設置することで、人件費や二酸化炭素排出量の低減を図る。【解決手段】岩盤５から発生した湧き水４を汲み上げるポンプ３と、ポンプ３により汲み上げられた湧き水４を与えられ、構内道路１２上に散水する散水パイプ１０と、散水パイプ１０から散水された湧き水４を回収し、排水する排水溝１１とを備え、湧き水を散水することにより融雪を行う。【選択図】図１
2013234517.tif 000002
【特許請求の範囲】
【請求項１】
岩盤から発生した湧き水を地表へ汲み上げるポンプと、
前記ポンプにより汲み上げられた前記湧き水を与えられ、少なくとも道路上に散水する散水パイプと、
前記散水パイプから散水された前記湧き水を回収し、排水する排水溝と、
を備えることを特徴とする構内融雪装置。
【請求項２】
前記ポンプにより汲み上げられた前記湧き水を溜めて、車両のタイヤを洗浄するためのタイヤ洗浄水留めをさらに備えることを特徴とする請求項１記載の構内融雪装置。
【請求項３】
前記散水パイプは、少なくとも前記道路に沿って配設され、複数箇所設けられた散水ノズルから前記道路上に散水することを特徴とする請求項１又は２に記載の構内融雪装置。
【請求項４】
岩盤から発生した湧き水を地表へ汲み上げる工程と、
前記ポンプにより汲み上げられた前記湧き水を散水パイプに与えて、少なくとも道路上に散水する工程と、
前記散水パイプから散水された前記湧き水を排水溝に回収して排水する工程と、
を備えることを特徴とする構内融雪方法。
【請求項５】
前記散水パイプから送られてきた前記湧き水を前記道路に形成したタイヤ洗浄水留め内に溜めて、車両のタイヤを洗浄する工程をさらに備えることを特徴とする請求項４記載の構内融雪方法。
【発明の詳細な説明】
【技術分野】
【０００１】
本発明は、構内融雪装置及び構内融雪方法に係わり、例えば原子力発電所構内における融雪に好適な構内融雪装置及び構内融雪方法に関する。
【背景技術】
【０００２】
従来、原子力発電所構内の冬季の除雪作業は、図８に示されるようにロータリ除雪車３２で雪３４を収集してダンプカー３１に投げ入れて積載させて図９に示されるように運搬し、構内の空き地等に集積したり図１０に示されるように海３５等に捨てたりしていた。除雪作業を要するのは、主に、アスファルト等で舗装されて積雪が起こり易く作業の妨げとなる構内道路１２や駐車場である。
【０００３】
従来の除雪作業の手順を、図１１のフローチャートに示す。除雪作業には、動力源として軽油等の化石燃料と人とを使用する。ステップＳ１０１として、ロータリ除雪車３２とダンプカー３１とを手配する。
【０００４】
ステップＳ１０２として、原子力発電所の構内道路１２や駐車場の雪３４をロータリ除雪車３２で除雪する。
【０００５】
ステップＳ１０３として、ロータリ除雪車３２によりダンプカー３１に雪３４を積み込む。
【０００６】
ステップＳ１０４として、雪３４を搭載したダンプカー３１が雪捨て場へ移動する。
【０００７】
ステップＳ１０５として、ダンプカー３１により雪捨て場で雪３４を捨てる。
【０００８】
上述のように、除雪作業を要するのは主に構内道路１２や駐車場である。原子力発電所構内には、膨大な面積の道路や駐車場があり除雪作業は困難である。
【０００９】
また、ロータリ除雪車の乗り入れ可能な場所に、雪の集積場所、雪捨て場を確保する費用や、除雪作業の人件費も高額になっている。さらに、上述したようにロータリ除雪車やダンプカーは化石燃料を使用する。このため、図８〜図１０に示されるように二酸化炭素３３が排出され環境に大きな影響を与えている。
【００１０】
一方で、原子炉建屋は、耐震性を考慮して岩盤まで掘削し岩盤に設置する構造を有する。岩盤まで掘削すると、地下からの湧き水が発生する。そこで、原子炉建屋に過剰な水圧がかからないようにするため、原子炉建屋周辺に排水設備を設置し、湧き水を汲み上げて排水したり冷却水に利用することが行われている。
【００１１】
図１２のフローチャートに、従来の原子炉建屋周辺から発生した湧き水を排水する手順を示す。湧き水の排水処理には、動力源として電力を使用する。
【００１２】
ステップＳ２０１として、原子炉建屋の岩盤付近から発生した湧き水を汲み上げる。
【００１３】
ステップＳ２０２として、汲み上げた湧き水を、排水設備により排水する。
【００１４】
従来の地下水を冷却水として利用する原子力発電所に関する技術を開示した文献名を記載する。
【先行技術文献】
【特許文献】
【００１５】
【特許文献１】特許第２５２２７０３号
【発明の概要】
【発明が解決しようとする課題】
【００１６】
上述したように、原子力発電所構内の冬季の除雪作業は、ロータリ除雪車とダンプカーを使用して人間が行うため除雪作業の人件費が高額になっている。
【００１７】
ロータリ除雪車やダンプカーが化石燃料を使用することで、二酸化炭素を排出して環境に大きな影響を与えている。更に除雪作業は、通常は早朝にロータリ除雪車やダンプカーが来て作業が開始され、終了するまでに長時間を要する。このため、早朝から長時間に渡って道路や駐車場の使用に制約が生じる等の不都合があった。
【００１８】
一方で、原子炉建屋の岩盤付近から発生した湧き水を、冷却水として利用する以外には有効に活用しておらず排水していた。
【００１９】
このような除雪作業に関する事情は、原子力発電所に限らず、企業、官公庁、学校、集合住宅、病院、宿泊施設、商業施設、遊戯施設、神社仏閣等、各種施設構内においても同様であった。
【００２０】
本発明は上記事情に鑑み、人件費や二酸化炭素排出量の低減が可能な構内融雪装置及び構内融雪方法を提供することを目的とする。
【課題を解決するための手段】
【００２１】
本発明の構内融雪装置は、
岩盤から発生した湧き水を地表へ汲み上げるポンプと、
前記ポンプにより汲み上げられた前記湧き水を与えられ、少なくとも道路上に散水する散水パイプと、
前記散水パイプから散水された前記湧き水を回収し、排水する排水溝と、
を備えることを特徴とする。
【００２２】
本発明の構内融雪方法は、
岩盤から発生した湧き水を地表へ汲み上げる工程と、
前記ポンプにより汲み上げられた前記湧き水を散水パイプに与えて、少なくとも道路上に散水する工程と、
前記散水パイプから散水された前記湧き水を排水溝に回収して排水する工程と、
を備えることを特徴とする。
【発明の効果】
【００２３】
本発明の構内融雪装置及び構内融雪方法によれば、融雪作業に電力のみを用いて化石燃料や人間の動力源を不要とすることにより、人件費や二酸化炭素排出量の低減が可能であると共に、融雪作業を長時間に渡って連続的に行うことができる。
【図面の簡単な説明】
【００２４】
【図１】本発明の実施の形態１による原子力発電所の構内融雪装置により湧き水を汲み上げる構成を示す縦断面図である。
【図２】同実施の形態１による構内融雪装置により構内道路に散水を行う構成を示す説明図である。
【図３】同実施の形態１による構内融雪装置における散水パイプの構成を示す説明図である。
【図４】同実施の形態１による構内融雪装置により構内駐車場に散水を行う構成を示す説明図である。
【図５】同実施の形態１による構内融雪装置における排水溝の構成を示す説明図である。
【図６】同実施の形態１による構内融雪装置を用いた融雪作業の手順を示すフローチャートである。
【図７】本発明の実施の形態２による構内融雪装置によりタイヤ洗浄を行う構成を示す説明図である。
【図８】従来の原子力発電所構内の除雪作業の一工程を示す説明図である。
【図９】従来の原子力発電所構内の除雪作業の一工程を示す説明図である。
【図１０】従来の原子力発電所構内の除雪作業の一工程を示す説明図である。
【図１１】従来の原子力発電所構内の除雪作業の手順を示すフローチャートである。
【図１２】従来の原子炉建屋において湧き水を排水する手順を示すフローチャートである。
【発明を実施するための形態】
【００２５】
以下、本発明の実施の形態による構内融雪装置及び構内融雪方法について、原子力発電所構内における融雪作業を例にとり、図面を参照して説明する。
【００２６】
（１）実施の形態１
本発明の実施の形態１による構内融雪装置の概略構成を、図１及び図２に示す。
【００２７】
図１に示されたように、原子炉建屋６が建てられた岩盤５から発生する湧き水４を湧き水槽１に溜め、地表７へ向かって設けられた配管２を通してポンプ３で汲み上げて矢印で示されたように地表７に排水する。
【００２８】
地表７に排水された湧き水４を、図２に示されたように、構内道路１２に沿って設置された散水パイプ１０に流して、事務所９の周辺、構内道路１２、構内に生えている樹木８、さらには後述するように構内駐車場１３等に散水する。散水され融雪した水は排水溝１１に回収された後、最終的に海に排出される。
【００２９】
散水パイプ１０の構成について、図３を用いて説明する。上述のように原子炉建屋６付近のポンプ３により汲み上げられた水が、配管２を介して散水パイプ１０に流れる。
【００３０】
散水パイプ１０には、散水すべき箇所に対応して間隔を開けて散水パイプノズル１０ｂが設けられており、この散水パイプノズル１０ｂから散水が行われる。複数本の散水パイプ１０が、散水パイプ継手１０ｃにより接続されている。このような散水パイプ１０は、構内道路１２に散水パイプ固定治具１０ａによって固定されている。
【００３１】
また、散水パイプ１０により散水された水２０が、構内道路１２の表面上を流れて融雪する。構内道路１２に沿って排水溝１１が設けられており、融雪した水２０が回収され排水される。
【００３２】
上述したように、散水パイプ１０は構内道路１２の他に、図４に示されたように舗装された構内駐車場１３にも配置される。構内駐車場１３において少なくとも駐車の妨げとなる領域の融雪が可能なように、複数本の散水パイプ１０が散水パイプ継手１０ｃにより接続されており、間隔を開けて設けられた散水パイプノズル１０ｂから散水される。構内駐車場１３の周辺に沿って排水溝１１が配置されており、構内駐車場１３に散水され融雪した水２０が回収され排水される。
【００３３】
排水溝１１は、例えば図５に示されたようにＵ字型、あるいは上に開いたコの字型の断面形状を有し、構内道路１２や構内駐車場１３に沿って配設されている。構内道路１２は、図５に示されたように中心が高く両端へ向かって低くなる逆Ｖ字型あるいは蒲鉾型の断面形状を有している。散水パイプ１０から散水された水が雪１４を融雪した後、矢印で示された方向に沿って構内道路１２の両脇の排水溝１１に回収される。構内駐車場１３においても、散水パイプ１０から散水され融雪した水が排水溝１１へ回収されるように、散水パイプ１０から排水溝１１へ向かって低くなるように高低差が付けられていることが望ましい。
【００３４】
本実施の形態１による構内融雪装置を用いて融雪を行う方法について、図６のフローチャートを用いて説明する。
【００３５】
ステップＳ１として、原子炉建屋６の岩盤５付近から発生した湧き水４を、ポンプ３により地表へ向けて汲み上げる。
【００３６】
ステップＳ２として、汲み上げた湧き水４を、構内道路１２、構内駐車場１３に配設された散水パイプ１０へ通水する。
【００３７】
ステップＳ３として、構内道路１２、構内駐車場１３の散水パイプ１０により散水し、構内道路１２、構内駐車場１３上の雪を融雪する。
【００３８】
ステップＳ４として、融雪した水２０を排水溝１１に回収し、最終的に海に排水する。
【００３９】
このような湧き水４を利用した融雪作業には、動力源として電力が使用される。
【００４０】
以上のような構成を備えた本実施の形態１によれば、原子力発電所の構内道路１２や駐車場１３に散水することで、融雪作業を行う。これにより、化石燃料を要するロータリ除雪車やダンプカー等を用いる必要が無いため、二酸化炭素の排出量の低減に寄与することができる。融雪作業に人件費がかからず、コスト低減を図ることができる。構内道路１２や構内駐車場１３等に散水することにより、粉塵防止や緑化、さらには夏場のクーリングシステムとしても利用することができる。
【００４１】
（２）実施の形態２
本発明の実施の形態２による構内融雪装置及び構内融雪方法について説明する。本実施の形態２は、上記実施の形態１における構成に加えて、タイヤを洗浄する構成を備えている。
【００４２】
図７に示されたように、原子炉建屋６の車両進入口１９の手前の構内道路１２において、トラック１５等の車両のタイヤ１８を洗浄するタイヤ洗浄水１６を溜めるため、タイヤ洗浄水溜め１７が設けられている。このタイヤ洗浄水１６は、上記実施の形態１において説明したように、岩盤５から発生した湧き水４をポンプ３で汲み上げてビニールホース、例えばサニーホース（登録商標）等で運んだ水から得たものである。
【００４３】
タイヤ洗浄水溜め１７は、車両進入口１９の手前の構内道路１２に形成された窪みを有し、両側に例えば土嚢が積まれている。窪みは、トラック１５の両側のタイヤ１８の位置に適合する幅と、例えば約１００ｃｍの奥行きと約２０ｃｍの深さを有する。
【００４４】
タイヤ洗浄水１６がタイヤ１８に付着した泥等で汚れた場合は、土嚢を外して構内道路１２へ排出する。タイヤ洗浄水１６の水量管理に関し、タイヤ１８の洗浄が可能な程度の水量として、例えばタイヤ洗浄水溜め１７の深さの半分以上を維持するように、トラック１５の進入がある都度、あるいは所定時間毎に管理者が管理を行うことが望ましい。
【００４５】
本実施の形態２によれば、構内道路１２や構内駐車場１３で融雪を行うと共に、さらにトラック１５等の車両のタイヤ１８を洗浄することにより、原子炉建屋６付近への泥の持込を防止することができる。
【００４６】
本発明の幾つかの実施の形態について説明したが、これらの実施の形態は、例として提示したものであり、発明の技術的範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の技術的範囲や要旨に含まれるとともに、特許請求の範囲に記載された発明とその均等の範囲に含まれる。
【００４７】
例えば、上記実施の形態では原子力発電所構内における融雪作業を例にとり説明したが、原子力発電所に限らず、湧き水を利用することが可能であれば、企業、官公庁、学校、集合住宅、病院、宿泊施設、商業施設、遊戯施設、神社仏閣等、各種施設構内の融雪作業においても同様に適用することができる。
【符号の説明】
【００４８】
１  湧き水槽
２  配管
３  ポンプ
４  湧き水
５  岩盤
６  原子炉建屋
７  地表
８  樹木
９  事務所
１０  散水パイプ
１０ａ  散水パイプ固定治具
１０ｂ  散水パイプノズル
１０ｃ  散水パイプ継手
１１  排水溝
１２  構内道路
１３  構内駐車場
１５  トラック
１６  タイヤ洗浄水
１７  タイヤ洗浄水溜め
１８  タイヤ
１９  車両進入口
【図１】
2013234517.tif 000003
【図２】
2013234517.tif 000004
【図３】
2013234517.tif 000005
【図４】
2013234517.tif 000006
【図５】
2013234517.tif 000007
【図６】
2013234517.tif 000008
【図７】
2013234517.tif 000009
【図８】
2013234517.tif 000010
【図９】
2013234517.tif 000011
【図１０】
2013234517.tif 000012
【図１１】
2013234517.tif 000013
【図１２】
2013234517.tif 000014